(57)【要約】      （修正有）【課題】スパイクからの突き上げ力が着用者の脚に直接伝わらないようにするスパイクシューズを提供する。【解決手段】甲皮部分６と、スパイク４２を備えた靴底２と、この靴底２の上に載置される中敷３を有するスパイクシューズにおいて、前記靴底２は、前記スパイク４２を埋設した肉厚部を有する本底４と、その本底４の上に位置する少なくとも１層の中間層５，７を有する。前記スパイク４２は前記肉厚部に埋設される基部と、この基部から突出するスパイクピンを備えている。前記中敷３は、前記肉厚部に相当する位置に貫通孔３１を有し、その貫通孔３１の面積が前記肉厚部の面積の５〜５０％である。【選択図】図３
0003182778.tif 000002
【実用新案登録請求の範囲】
【請求項１】
甲皮部分（６）と、スパイク（４２）を備えた靴底（２）と、この靴底（２）の上に載置される中敷（３）を有するスパイクシューズ（１）であって、
前記靴底（２）は、前記スパイク（４２）を埋設した肉厚部（４１）を有する本底（４）と、その本底（４）の上に位置する少なくとも１層の中間層（５，７）を有し、
前記スパイク（４２）は前記肉厚部（４１）に埋設される基部（４３）と、この基部（４３）から突出するスパイクピン（４４）を備え、
前記中敷（３）は、前記肉厚部（４１）に相当する位置に貫通孔（３１）を有し、その貫通孔（３１）の面積が前記肉厚部（４１）の面積の５〜５０％であることを特徴とするスパイクシューズ（１）。
【請求項２】
前記本底（４）に本底貫通孔（４７）が設けられていてその本底貫通孔（４７）を前記少なくとも１層の中間層（５）がふさいでいる請求項１記載のスパイクシューズ。
【請求項３】
前記中間層が２層であり、そのうちの１層が中底（７）である請求項１または  ２記載のスパイクシューズ。
【請求項４】
前記中底（７）が前記本底（４）の後ろ側１/２ないし３/４をカバーする位置に取り付けられている請求項３記載のスパイクシューズ。
【請求項５】
請求項１ないし４のスパイクシューズにおいて使用される中敷（３）であって、前記肉厚部（４１）に相当する位置に貫通孔（３１）を有し、その貫通孔（３１）の面積が前記肉厚部（４１）の面積の５〜５０％であることを特徴とする中敷。
【考案の詳細な説明】
【技術分野】
【０００１】
本考案は、野球やサッカー、ゴルフ等のスポーツシューズ、及び、釣り用や雪道用のブーツ等、スパイクを設けたシューズに関する。また、その中の部品としての中敷きに関する。
【背景技術】
【０００２】
これらのシューズには、ゴムや合成プラスチックからなる靴底に、これより堅い金属やセラミック等の材料からなるスパイクが取り付けられている。このスパイクが地面に食い込んで滑り止めとなり、使用者の足元を守っている。
【０００３】
しかし、下記特許文献により指摘されているように、固い地面や岩場などでは、スパイクが地面に食い込まず、逆にスパイクによる突き上げがあり、足の裏の触球などの敏感な部分に違和感や痛みを与えていた。そのため、必ずしも履き心地がよいものではなかった。
【０００４】
その問題を解決するために、下記特許文献１では、スパイクを固定するリベット（ボルト）の上方にエアークッション部を設けている。下記特許文献２では、スパイクを固定するリベットの上方にバネを設けている。下記特許文献３では、スパイクを固定するリベットの上方に衝撃吸収材を設けている。下記特許文献４では、リベット端面と中敷きの間に空間が形成されていることを特徴とする。
【先行技術文献】
【特許文献】
【０００５】
【特許文献１】特開２００２−３４５５０４
【特許文献２】特開平１０−１０５
【特許文献３】実公平６−１０８１４
【特許文献４】特開２００８―３０１９８３
【考案の開示】
【考案が解決しようとする課題】
【０００６】
従来技術１~４は、上記したように、スパイクを固定するリベットの上方に衝撃吸収材を設けている。しかし、エアークッション部やバネをリベットの上方に取り付けるのは非常に手間と費用がかかり、それが製造コストに跳ね返っていた。また、そのような衝撃吸収具があってもスポーツシューズなどではやはり突き上げの力は足の裏に到達しているのが実情である。
【０００７】
本考案は、リベットを使用しないタイプのシューズにおいて、スパイクからの突き上げ力が着用者の脚に直接伝わらないようにすることにより、この問題を解決することを目的とする。
【課題を解決するための手段】
【０００８】
本考案のスパイクシューズは、甲皮部分と、スパイクを備えた靴底と、この靴底の上に載置される中敷を有するスパイクシューズであって、前記靴底は、スパイクを埋設した肉厚部を有する本底と、その本底の上に位置する少なくとも１層の中間層を有し、前記スパイクは前記肉厚部に埋設される基部と、この基部から突出するスパイクピンを備え、前記中敷は、前記肉厚部に相当する位置に貫通孔を有し、その貫通孔の面積が前記肉厚部の面積の５〜５０％であることを特徴とする（請求項１）。
【０００９】
好ましくは、前記本底に本底貫通孔が設けられていてその本底貫通孔を前記少なくとも１層の中間層がふさぐ構造である（請求項２）。
【００１０】
好ましくは、前記中間層が２層であり、そのうちの１層が中底である（請求項３）。
【００１１】
好ましくは、前記中底が前記本底の後ろ側１/２ないし３/４をカバーする位置に取り付けられている（請求項４）。
【００１２】
本考案の中敷は、請求項１ないし４のスパイクシューズにおいて使用される中敷であって、前記肉厚部に相当する位置に貫通孔を有し、その貫通孔の面積が前記肉厚部の面積の５〜５０％であることを特徴とする。
【考案の効果】
【００１３】
本考案請求項１ないし４によれば、スパイクピンによる突き上げがあっても、その衝撃は中敷の貫通孔により遮断されて着用者の足に直接伝播しない。その結果、スパイクピンによる突き上げによる不快感は解消した。しかもそのためには、中底に単に貫通孔を開けるだけでよく、従来技術のような複雑な加工は必要ではないので、非常に安価に製造が可能である。
【００１４】
請求項２ないし４によれば、本底貫通孔及び短寸の中底により、シューズの軽量化、意匠化を図ることができる。
【００１５】
請求項５は、前記スパイクシューズにおいて使用する中敷であり、簡単な構成で、上記効果が得られる。
【図面の簡単な説明】
【００１６】
【図１】本考案実施例のスパイクシューズの斜視図であり、甲皮部分を破断して内部を示すとともに、中敷を取り出している。
【図２】図１のスパイクシューズを裏面から見た斜視図である。
【図３】図１のスパイクシューズの分解斜視図である。
【図４】図１の矢示分解断面図である。
【図５】図１の矢示断面図である。
【考案を実施するための最良の形態】
【００１７】
以下、添付の図面に基づき、本考案の実施例を説明する。
【００１８】
図１、３、４に示すように、本実施例のシューズ1では靴底２の上に必ず中敷３を使用する。
【００１９】
図３、４にもっともよく示されているように、靴底２は少なくとも２層、好ましくは３層からなる。下から、本底４、この本底４の前方及び後方に分かれて貼り付けられる薄板層５、本底４の前方後半部及び後方全部を覆う中底７である。
【００２０】
図２に示すように、本底４の下部には、低い三角柱状の肉厚部４１が前方に５カ所、後方に３カ所形成されている。その肉厚部４１にスパイク４２が埋設固定されている。スパイク４２は、三角形状の基部４３及びそこから突出するプレート状のスパイクピン４４を有する。図２、４に示すように、基部４３には貫通孔４５が開けられており、肉厚部４１のプラスチックがこの貫通孔４５を埋めることにより、基部４３は安定的に固定されている。
【００２１】
本底４の肉厚部４１に相当する位置を上から見ると、図１、３に示すように、薄板層５の形状に浅く彫り込まれており、そこに小孔４６が４個ずつあけられている。これは、スパイク４２を埋設する際、スパイク４２を固定するための支持材（図示せず）が設けられていた場所である。そのほか、小孔４６のない場所（肉厚部でない場所）にやや大きい不定形の本底貫通孔４７があけられているが、これは本底４の軽量化及び意匠性を高めるための孔である。本底４の材質としては、プラスチック板又はゴム板を使用することができる。
【００２２】
薄板層５の薄板は、本底４の不定形の穴をふさぐためのもので、本底４に対して密着して取り付けられる。薄板の材質としては、金属、プラスチックシートなどを使用することができる。
【００２３】
中底７は、かかと部の高さを出すためのもので本底４の後方１/２ないし３/４程度をカバーするとともに、後方に向かうにつれて肉厚となっている。また、かかと部を包み込むように後部壁７１を形成している。材質は、ゴムが好ましく、軟質プラスチックを使用することもできる。
【００２４】
中底７の上にシューズの甲皮部６が固定される。
【００２５】
本考案の特徴は本底４前方及び中底７の上に敷かれる中敷３にある。この中敷３には、本底４の肉厚部４１に相当する位置（特にスパイクピン４４のある位置が好ましい）に貫通孔が設けられている。その貫通孔の大きさは、前記スパイクの基板の５〜５０％、好ましくは２０〜４０％程度である。中敷３の材質は、天然又は合成繊維、プラスチック、ゴムなど従来使用されてきているものでよい。
【００２６】
この中敷３を使用することにより、スパイクピンからの突き上げ衝撃が中敷の貫通孔により遮断されるので、着用者の足に直接伝播することはない。また、スパイクピンだけでなく、前記本底の小孔の周囲に発生する可能性のあるバリから伝播する衝撃も同様にこの中敷により遮断される。
【符号の説明】
【００２７】
1      シューズ
２     靴底
３     中敷
４     本底
４１   肉厚部
４２   スパイク
４３   基部
４４   スパイクピン
４５   貫通孔
４６   小孔
４７   本底貫通孔
５     薄板層
７     中底
７１   後部壁
【図１】
0003182778.tif 000003
【図２】
0003182778.tif 000004
【図３】
0003182778.tif 000005
【図４】
0003182778.tif 000006
【図５】
0003182778.tif 000007